(57)【要約】【課題】キャリアアグリゲーション中にプライマリセルを変更する際の基地局からのシグナリング量を低減可能な無線通信装置を提供すること。【解決手段】キャリアアグリゲーションで通信可能な無線通信装置は、コンポーネントキャリアセットの設定を変更するためのシグナリングを受信する受信部と、コンポーネントキャリアセットの設定を変更するコンポーネントキャリア設定部とを備える。コンポーネントキャリア設定部は、シグナリングが、コンポーネントキャリアセットを構成する１つのプライマリセル及び複数のセカンダリセルの内、プライマリセルの変更の指示を含む場合、複数のセカンダリセルの各々に設定されるプライマリセルを示すスケジューリングセル識別パラメータが、プライマリセルに割り当てられた識別情報及び複数のセカンダリセルの各々に割り当てられた識別情報のいずれにも合致しなければ、変更後のプライマリセルに割り当てられた識別情報をスケジューリングセル識別パラメータの値とみなす。【選択図】図３
2012039467.tif 000002
【特許請求の範囲】
【請求項１】
無線通信基地局が管理する複数の通信セルの各コンポーネントキャリアを同時に使用して前記無線通信基地局と通信可能な無線通信装置であって、
前記無線通信基地局から送信された、前記複数の通信セルのコンポーネントキャリアから構成されるコンポーネントキャリアセットの設定を変更するためのシグナリングを受信する受信部と、
前記受信部が受信した前記シグナリングに含まれるコンポーネントキャリアの設定情報に基づいて、前記コンポーネントキャリアセットの設定を変更するコンポーネントキャリア設定部と、を備え、
前記コンポーネントキャリア設定部は、
前記シグナリングが、前記コンポーネントキャリアセットを構成する１つのプライマリセル及び複数のセカンダリセルの内、少なくとも前記プライマリセルの変更の指示を含む場合、前記複数のセカンダリセルの各々に設定される前記プライマリセルを示すスケジューリングセル識別パラメータが、前記プライマリセルに割り当てられた識別情報及び前記複数のセカンダリセルの各々に割り当てられた識別情報のいずれにも合致しなければ、変更後のプライマリセルに割り当てられた識別情報を前記スケジューリングセル識別パラメータの値とみなすことを特徴とする無線通信装置。
【請求項２】
請求項１に記載の無線通信装置であって、
前記コンポーネントキャリア設定部は、
前記複数のセカンダリセルの各々に設定されるスケジューリングセル識別パラメータが、前記プライマリセルに割り当てられた識別情報及び前記複数のセカンダリセルの各々に割り当てられた識別情報のいずれにも合致しない識別情報の内、所定の識別情報に合致すれば、変更後のプライマリセルに割り当てられた識別情報を前記スケジューリングセル識別パラメータの値とみなすことを特徴とする無線通信装置。
【請求項３】
無線通信基地局が管理する複数の通信セルの各コンポーネントキャリアを同時に使用して前記無線通信基地局と通信可能な無線通信装置であって、
前記無線通信基地局から送信された、前記複数の通信セルのコンポーネントキャリアから構成されるコンポーネントキャリアセットの設定を変更するためのシグナリングを受信する受信部と、
前記受信部が受信した前記シグナリングに含まれるコンポーネントキャリアの設定情報に基づいて、前記コンポーネントキャリアセットの設定を変更するコンポーネントキャリア設定部と、を備え、
前記コンポーネントキャリア設定部は、
前記シグナリングが、前記コンポーネントキャリアセットを構成する１つのプライマリセル及び複数のセカンダリセルの内、少なくとも前記プライマリセルの変更の指示を含む場合、前記シグナリング受信前の複数のセカンダリセルの各々に設定される前記プライマリセルを示すスケジューリングセル識別パラメータが、変更前のプライマリセルに割り当てられた識別情報と同一であれば、前記スケジューリングセル識別パラメータの値を前記シグナリングに含まれる変更後のプライマリセルに割り当てられた識別情報に変更することを特徴とする無線通信装置。
【請求項４】
請求項３に記載の無線通信装置であって、
前記コンポーネントキャリアセットの設定に、他セルのデータ割り当てを行うクロスキャリアスケジューリングを行うか否かを示すスケジューリングパラメータが含まれる場合、
前記コンポーネントキャリア設定部は、
前記シグナリングに含まれる前記コンポーネントキャリアの設定情報を前記コンポーネントキャリアセットの設定に反映した後、前記プライマリセルに設定されるスケジューリングパラメータがクロスキャリアスケジューリングを行わないことを示す場合、前記複数のセカンダリセルの各々に設定されるスケジューリングセル識別パラメータの値を空値に変更することを特徴とする無線通信装置。
【請求項５】
請求項１〜４のいずれか一項に記載の無線通信装置であって、
前記同時に使用される前記複数の通信セルの各キャリア周波数が複数の周波数帯にわたる場合、
前記コンポーネントキャリア設定部は、
前記シグナリングが、前記コンポーネントキャリアセットを構成する１つのプライマリセル及び複数のセカンダリセルの内、少なくとも前記プライマリセルの変更の指示を含み、変更前と変更後とで当該プライマリセルのキャリア周波数が属する周波数帯が異なる場合、前記シグナリングに含まれる前記プライマリセルと前記セカンダリセルの連関を周波数帯毎に適用するか前記複数の通信セル全体に適用するかを指示する指示情報に応じて、前記複数のセカンダリセルの各々に設定されるスケジューリングセル識別パラメータの値を設定することを特徴とする無線通信装置。
【請求項６】
請求項５に記載の無線通信装置であって、
前記コンポーネントキャリア設定部は、
前記指示情報が前記プライマリセルと前記セカンダリセルの連関を周波数帯毎に適用することを指示する場合、変更前のプライマリセルのキャリア周波数が属する周波数帯のセカンダリセルに設定されるスケジューリングセル識別パラメータの値を空値に変更し、
前記指示情報が前記プライマリセルと前記セカンダリセルの連関を前記複数の通信セル全体に適用することを指示する場合、変更前のプライマリセルのキャリア周波数が属する周波数帯のセカンダリセルに設定されるスケジューリングセル識別パラメータの値を、変更後のプライマリセルに割り当てられた識別情報に変更することを特徴とする無線通信装置。
【発明の詳細な説明】
【技術分野】
【０００１】
本発明は、キャリアアグリゲーションによって、複数の通信セルの各コンポーネントキャリアを同時に使用して通信可能な無線通信装置に関する。
【背景技術】
【０００２】
標準化団体３ＧＰＰ（The 3rd Generation Partnership Project）は、Ｗ−ＣＤＭＡ（Wideband Code Division Multiple Access）方式の次世代の通信規格として、ＬＴＥ（Long Term Evolution）の標準化を進めている。
【０００３】
ＬＴＥでは、１つの無線通信基地局（evolved NodeB：ｅＮＢ、単に「基地局」ともいう）が複数の通信セル（以下、単に「セル」という）を管理しており、無線通信端末（User Equipment：ＵＥ、単に「端末」ともいう）はその内の１つのセルに属する。端末の状態（UE state）として、基地局との個別コネクションを持っていない状態を「アイドル状態（idle mode、「RRC_IDLE」ともいう）」といい、基地局との個別コネクションを持っている状態を「コネクテッド状態（connected mode、「RRC_CONNECTED」ともいう）」という。アイドル状態の端末は、基地局と個別データを送受信できず、着信又はセル内の全端末に共通して送られる報知情報等の受信のみを行う。端末と基地局の間で個別データの送受信を行う場合には、コネクションセットアップの手続きが行われ、端末と基地局の間に専用の無線ベアラ（radio bearer）を確立することで、端末がアイドル状態からコネクテッド状態に遷移する。
【０００４】
標準化団体３ＧＰＰは、ＬＴＥと互換性のある次世代の無線通信規格として、ＬＴＥ−Ａｄｖａｎｃｅｄ（Long Term Evolution Advanced：ＬＴＥ−Ａ）の標準化を進めている。ＬＴＥ−Ａは、ＬＴＥから進化した次世代移動通信規格であり、より向上した移動通信サービスの提供を目標とする。
【０００５】
ＬＴＥ−Ａでは、１つの基地局が管理する複数のキャリア周波数を端末が同時に使用する「キャリアアグリゲーション（Carrier Aggregation、“Band Aggregation”ともいう）」の導入が考えられている。複数のキャリア周波数を同時に使用することによって、端末と基地局の間の通信のスループットの向上が期待される。
【０００６】
図１１は、端末がキャリアアグリゲーションで使用するコンポーネントキャリアのセットの一例を示す図である。図１１の例では、端末はそれぞれ３つのダウンリンクコンポーネントキャリアとアップリンクコンポーネントキャリアを用いてキャリアアグリゲーションを行っている。各キャリア（キャリアＡ、キャリアＢ、キャリアＣ）のダウンリンクとアップリンクはそれぞれペアで運用されている。このダウンリンクコンポーネントキャリアとアップリンクコンポーネントキャリアのペアが「セル」である。図１１の例では、キャリアＡのセルがプライマリセル（Primary cell、「Pcell」ともいう）に設定され、キャリアＢ及びキャリアＣの各セルがセカンダリセル（Secondary cell、「Scell」ともいう）に設定される。端末がキャリアアグリゲーションで使用するセルのセットは、１つのプライマリセルと複数のセカンダリセルから構成される。プライマリセルは、キャリアアグリゲーションにおいて、LTE Release 8と同様の機能を持つ。また、プライマリセルのみが持つ機能として、レイヤ１のアップリンク制御情報（Ack/Nack応答やCQI等）はプライマリセルのアップリンクのみで送信すること、RACHの送信はプライマリセルのみに限定されること等が標準化団体３ＧＰＰで合意されている。なお、基地局が、受信品質又はリソースの負荷状況を考慮して、最適なセルをプライマリセルとして選択する。
【０００７】
なお、本明細書において、セルとは１つの基地局から地理的エリアに対して送られる識別子から、端末によってユニークに識別されることができる無線ネットワークオブジェクトである。セルとコンポーネントキャリアはほぼ同等の意味を持つが、１つのコンポーネントキャリアで１つのセルを構成する場合もあれば、複数のコンポーネントキャリアが１つのセルに属する場合もある。例えば、端末がキャリアアグリゲーションを行わず、１組のアップリンクとダウンリンクのペアによるコンポーネントキャリアによって基地局と通信を行う場合、コンポーネントキャリアはセルと同義である。
【０００８】
キャリアアグリゲーションの指示は基地局主導で行われる。基地局は、端末のサポート可能な帯域幅及びコンポーネントキャリアの数等に基づいて、キャリアアグリゲーションに用いるコンポーネントキャリアのセットを選択し、端末に明示する。キャリアアグリゲーション開始の指示及びコンポーネントキャリアセットの指示は、基地局と端末の間の個別シグナリングによって通知される。当該通知のタイミングとしては、端末のコネクションセットアップ時に、ＲＲＣ（Radio Resource Control）コネクションの設定を通知するために基地局から端末に個別に送られるメッセージである「RRC connection reconfiguration」と共に通知されることが考えられる。また、ハンドオーバ時に、ソース基地局から端末にハンドオーバを指示するために送られるメッセージである「HO command」と共に通知されることも考えられる。また、任意のタイミングで基地局から端末への個別シグナリングによって通知されることも考えられる。コンポーネントキャリアのセット及びプライマリセルは、キャリアアグリゲーション中に基地局の指示によって変更されることもある。
【先行技術文献】
【非特許文献】
【０００９】
【非特許文献１】3GPP TSG RAN Technical Specification 36.331 v9.3.0, “E-UTRAN RRC Protocol specification (Release 9)”
【発明の概要】
【発明が解決しようとする課題】
【００１０】
キャリアアグリゲーション中にプライマリセルを変更する際には、当該プライマリセルと共にコンポーネントキャリアセットを構成するセカンダリセルの設定変更を行う必要がある場合がある。このとき、セカンダリセルによっては、プライマリセルを示すscheduling-PDCCHを変更するためだけに基地局から端末への個別シグナリングが必要となる場合がある。但し、当該個別シグナリングを行う際のメッセージサイズは小さい方が望ましい。
【００１１】
本発明の目的は、キャリアアグリゲーション中にプライマリセルを変更する際の基地局からのシグナリング量を低減可能な無線通信装置を提供することである。
【課題を解決するための手段】
【００１２】
本発明は、無線通信基地局が管理する複数の通信セルの各コンポーネントキャリアを同時に使用して前記無線通信基地局と通信可能な無線通信装置であって、前記無線通信基地局から送信された、前記複数の通信セルのコンポーネントキャリアから構成されるコンポーネントキャリアセットの設定を変更するためのシグナリングを受信する受信部と、前記受信部が受信した前記シグナリングに含まれるコンポーネントキャリアの設定情報に基づいて、前記コンポーネントキャリアセットの設定を変更するコンポーネントキャリア設定部と、を備え、前記コンポーネントキャリア設定部は、前記シグナリングが、前記コンポーネントキャリアセットを構成する１つのプライマリセル及び複数のセカンダリセルの内、少なくとも前記プライマリセルの変更の指示を含む場合、前記複数のセカンダリセルの各々に設定される前記プライマリセルを示すスケジューリングセル識別パラメータが、前記プライマリセルに割り当てられた識別情報及び前記複数のセカンダリセルの各々に割り当てられた識別情報のいずれにも合致しなければ、変更後のプライマリセルに割り当てられた識別情報を前記スケジューリングセル識別パラメータの値とみなす無線通信装置を提供する。
【００１３】
上記無線通信装置では、前記コンポーネントキャリア設定部は、前記複数のセカンダリセルの各々に設定されるスケジューリングセル識別パラメータが、前記プライマリセルに割り当てられた識別情報及び前記複数のセカンダリセルの各々に割り当てられた識別情報のいずれにも合致しない識別情報の内、所定の識別情報に合致すれば、変更後のプライマリセルに割り当てられた識別情報を前記スケジューリングセル識別パラメータの値とみなす。
【００１４】
本発明は、無線通信基地局が管理する複数の通信セルの各コンポーネントキャリアを同時に使用して前記無線通信基地局と通信可能な無線通信装置であって、前記無線通信基地局から送信された、前記複数の通信セルのコンポーネントキャリアから構成されるコンポーネントキャリアセットの設定を変更するためのシグナリングを受信する受信部と、前記受信部が受信した前記シグナリングに含まれるコンポーネントキャリアの設定情報に基づいて、前記コンポーネントキャリアセットの設定を変更するコンポーネントキャリア設定部と、を備え、前記コンポーネントキャリア設定部は、前記シグナリングが、前記コンポーネントキャリアセットを構成する１つのプライマリセル及び複数のセカンダリセルの内、少なくとも前記プライマリセルの変更の指示を含む場合、前記シグナリング受信前の複数のセカンダリセルの各々に設定される前記プライマリセルを示すスケジューリングセル識別パラメータが、変更前のプライマリセルに割り当てられた識別情報と同一であれば、前記スケジューリングセル識別パラメータの値を前記シグナリングに含まれる変更後のプライマリセルに割り当てられた識別情報に変更する無線通信装置を提供する。
【００１５】
上記無線通信装置では、前記コンポーネントキャリアセットの設定に、他セルのデータ割り当てを行うクロスキャリアスケジューリングを行うか否かを示すスケジューリングパラメータが含まれる場合、前記コンポーネントキャリア設定部は、前記シグナリングに含まれる前記コンポーネントキャリアの設定情報を前記コンポーネントキャリアセットの設定に反映した後、前記プライマリセルに設定されるスケジューリングパラメータがクロスキャリアスケジューリングを行わないことを示す場合、前記複数のセカンダリセルの各々に設定されるスケジューリングセル識別パラメータの値を空値に変更する。
【００１６】
上記無線通信装置では、前記同時に使用される前記複数の通信セルの各キャリア周波数が複数の周波数帯にわたる場合、前記コンポーネントキャリア設定部は、前記シグナリングが、前記コンポーネントキャリアセットを構成する１つのプライマリセル及び複数のセカンダリセルの内、少なくとも前記プライマリセルの変更の指示を含み、変更前と変更後とで当該プライマリセルのキャリア周波数が属する周波数帯が異なる場合、前記シグナリングに含まれる前記プライマリセルと前記セカンダリセルの連関を周波数帯毎に適用するか前記複数の通信セル全体に適用するかを指示する指示情報に応じて、前記複数のセカンダリセルの各々に設定されるスケジューリングセル識別パラメータの値を設定する。
【００１７】
上記無線通信装置では、前記コンポーネントキャリア設定部は、前記指示情報が前記プライマリセルと前記セカンダリセルの連関を周波数帯毎に適用することを指示する場合、変更前のプライマリセルのキャリア周波数が属する周波数帯のセカンダリセルに設定されるスケジューリングセル識別パラメータの値を空値に変更し、前記指示情報が前記プライマリセルと前記セカンダリセルの連関を前記複数の通信セル全体に適用することを指示する場合、変更前のプライマリセルのキャリア周波数が属する周波数帯のセカンダリセルに設定されるスケジューリングセル識別パラメータの値を、変更後のプライマリセルに割り当てられた識別情報に変更する。
【発明の効果】
【００１８】
本発明に係る無線通信装置によれば、キャリアアグリゲーション中にプライマリセルを変更する際の基地局からのシグナリング量を低減できる。
【図面の簡単な説明】
【００１９】
【図１】端末の内部構成を示すブロック図
【図２】プライマリセル変更前後の端末の設定（コンポーネントキャリアセットの設定）及び基地局からのシグナリングの一例を示す図
【図３】第１の実施形態におけるプライマリセル変更前後の端末の設定（コンポーネントキャリアセットの設定）及び基地局からのシグナリングの一例を示す図
【図４】キャリアアグリゲーション中に基地局からシグナリングを受信した際の第１の実施形態の端末の動作を示すフローチャート
【図５】第２の実施形態におけるプライマリセル変更前後の端末の設定（コンポーネントキャリアセットの設定）及び基地局からのシグナリングの一例を示す図
【図６】キャリアアグリゲーション中に基地局からシグナリングを受信した際の第２の実施形態の端末の動作を示すフローチャート
【図７】第３の実施形態におけるプライマリセル変更前後の端末の設定（コンポーネントキャリアセットの設定）及び基地局からのシグナリングの一例を示す図
【図８】キャリアアグリゲーション中に基地局からシグナリングを受信した際の第３の実施形態の端末の動作を示すフローチャート
【図９】第４の実施形態におけるプライマリセル変更前後のコンポーネントキャリアセット及び基地局からのシグナリングの一例を示す図
【図１０】複数の異なる周波数帯（バンド）にわたるキャリアアグリゲーション中に基地局からシグナリングを受信した際の第４の実施形態の端末の動作を示すフローチャート
【図１１】端末がキャリアアグリゲーションで使用するコンポーネントキャリアのセットの一例を示す図
【発明を実施するための形態】
【００２０】
以下、本発明の実施形態について、図面を参照して説明する。
【００２１】
標準化団体３ＧＰＰでは、キャリアアグリゲーションとして、例えば５つのセルまで同時に使用できると想定している。この場合、最大で４つのセカンダリセルを設定可能である。各セルには、端末‐基地局間で共通の識別番号（セルインデックス（Cell index））が付与される。
【００２２】
キャリアアグリゲーション中にプライマリセルを変更する際、基地局は、当該プライマリセルと共にコンポーネントキャリアセットを構成するセカンダリセルの設定変更を行うためのシグナリングを端末に送信する。当該シグナリングには、端末に設定されるコンポーネントキャリアのセットの情報の内、設定変更される情報のみが差分情報として含まれる。
【００２３】
また、キャリアアグリゲーションでは、クロスキャリアスケジューリング（Cross Carrier Scheduling）が検討されている。クロスキャリアスケジューリングでは、あるセルのＰＤＳＣＨ（Physical Downlink Shared Channel（物理ダウンリンク共通チャネル））及びＰＵＳＣＨ（Physical Uplink Shared Channel（物理ダウンリンク共通チャネル））へのデータ割り当てを、別のセルのＰＤＣＣＨ（Physical Downlink Control Channel（物理ダウンリンク制御チャネル））で行う。
【００２４】
また、自セルのＰＤＣＣＨで他セルのクロスキャリアスケジューリングを行っているか否かを示すパラメータとして、ＣＩＦ（Carrier Indictor Field）フラグ（「CIF-presence」ともいう）と呼ばれる１ビットのフラグの導入が検討されている。ＣＩＦフラグが「ｏｎ（１）」であれば、そのセルのＰＤＣＣＨでクロスキャリアスケジューリングを行っている。一方、ＣＩＦフラグが「ｏｆｆ（０）」であれば、そのセルのＰＤＣＣＨではクロスキャリアスケジューリングを行っていない。
【００２５】
さらに、自セルがどのセルのＰＤＣＣＨによってクロスキャリアスケジューリングされているかを示す、すなわち、スケジューリングしているセルの識別情報を示す「Scheduling-PDCCH」と呼ばれるパラメータの導入が検討されている。Scheduling-PDCCHは、自セルをスケジューリングしているセルを識別するＩＤであるＣＩ（Cell Indicator）によって指示される。
【００２６】
図１は、端末の内部構成を示すブロック図である。図１に示す端末は、受信部１５１と、シグナリング処理部１５３と、コンポーネントキャリア設定部１５５と、設定完了メッセージ生成部１５７と、送信部１５９とを備える。
【００２７】
受信部１５１は、基地局から送信されたプライマリセルを変更するためのシグナリング等のデータを、アンテナ１６１を介して受信する。シグナリング処理部１５３は、受信部１５１が受信したシグナリングを処理して、その処理結果をコンポーネントキャリア設定部１５５に出力する。
【００２８】
コンポーネントキャリア設定部１５５は、コンポーネントキャリア情報保持部１７１と、プライマリセル設定部１７３と、セカンダリセル設定部１７５とを有し、シグナリング処理部１５３から得られた情報に応じた動作を行う。例えば、コンポーネントキャリア設定部１５５は、シグナリングに記載された各セルの設定情報を、コンポーネントキャリア情報保持部１７１に保持されたコンポーネントキャリアセットの設定情報における該当箇所に上書きする。また、コンポーネントキャリア設定部１５５は、コンポーネントキャリア情報保持部１７１に記録されているコンポーネントキャリアセットの設定情報に応じた動作を行う。
【００２９】
コンポーネントキャリア情報保持部１７１は、端末−基地局間でキャリアアグリゲーションを行う際のコンポーネントキャリアセットの設定情報を保持する。プライマリセル設定部１７３は、コンポーネントキャリア情報保持部１７１に保持されている設定情報を参照して、基地局から指示されたプライマリセルの設定を行う。セカンダリセル設定部１７５は、コンポーネントキャリア情報保持部１７１に保持されている設定情報を参照して、基地局から指示されたセカンダリセルの設定を行う。
【００３０】
設定完了メッセージ生成部１５７は、コンポーネントキャリア設定部１５５のプライマリセル設定部１７３及びセカンダリセル設定部１７５による各設定が完了すると、設定完了メッセージを生成する。送信部１５９は、設定完了メッセージ等のデータを、アンテナ１６１を介して送信する。
【００３１】
図２は、プライマリセル変更前後の端末の設定（コンポーネントキャリアセットの設定）及び基地局からのシグナリングの一例を示す図である。図２に示すように、プライマリセルの変更前は、図２の上段に示すように、「Cell Index=1」のセルがプライマリセル（Pcell）、「Cell Index=2」及び「Cell Index=3」のセルがセカンダリセル（Scell）として端末に設定されている。また、プライマリセルのＣＩＦが「ｏｎ」に設定され、セカンダリセルのＣＩＦが「ｏｆｆ」に設定されている。このため、プライマリセル（Cell Index=1）が２つのセカンダリセル（Cell Index=2,3）のクロスキャリアスケジューリングを行っている。さらに、各セカンダリセルのscheduling-PDCCHが「１」に設定されている。図２に示した例では、Scheduling-PDCCHが示すＣＩはCell Indexと同じ番号であるとの前提である。
【００３２】
プライマリセルをCell index=1のセルからCell index=2のセルに変更する場合、基地局は、図２の中段に示したシグナリングを端末に送信する。このプライマリの変更に応じて、セカンダリセルもCell index=2,3のセルからCell index=1,3のセルに変更される。したがって、基地局が端末に送信するシグナリングには、プライマリセルの設定を示す箇所に「Cell index=2」が記載され、各セカンダリセル（Cell index=1,3）の設定を示す箇所に「scheduling-PDCCH:2」が記載されている。上述したように、当該シグナリングは、設定変更される情報のみが記載された差分情報である。差分は同じCell indexのセルの設定に対して行われ、空欄の箇所は、変更前の同一Cell indexのセルの設定がそのまま引き継がれる。また、プライマリセルを変更する際には、変更前のプライマリセルの設定をベースとして、新しいプライマリセルの設定との差分がシグナリングに記載される。このようなシグナリングを端末が受信すると、端末は、当該シグナリングに基づいて、キャリアコンポーネントセットの設定を図２の下段に示された設定に変更する。
【００３３】
図２に示した例では、scheduling-PDCCHが示すＣＩがCell Indexの番号によって示されているため、プライマリセルの変更に伴って、各セカンダリセルに対応するscheduling-PDCCHを変更するための情報をシグナリングに記載する必要がある。このため、プライマリセル変更時に基地局が端末に送信するシグナリングには、セカンダリセル数と同数のscheduling-PDCCHを変更するための情報が記載されることとなる。
【００３４】
以下、キャリアアグリゲーション中にプライマリセルを変更する際の基地局からのシグナリング量を、図２に示した例と比較して低減可能な実施形態について説明する。なお、以下説明する端末の構成は、図１に示した構成と同様である。
【００３５】
（第１の実施形態）
第１の実施形態では、各セカンダリセルに設定するscheduling-PDCCHのＣＩとして、プライマリセルに割り当てられた実際のCell indexではなく、プライマリセルを示す「特別な番号」を用いる。なお、特別な番号とは、コンポーネントキャリアセットを構成するセルのCell indexとして利用されている値以外の番号である。例えば、Cell indexが３ビットで表されるとき、各セルのCell indexには、０〜７の中から１つの番号が割り当てられる。但し、キャリアアグリゲーションとして同時に５つのセルまで使用できると想定されている場合、Cell indexとして割り当てる番号が例えば１〜５であれば、０、６及び７の３つの番号は利用されない。すなわち、これら３つの番号は空き番号となる。本実施形態では、セカンダリセルに設定されるscheduling-PDCCHのＣＩとして、プライマリセルを示す特別な番号「０」が設定される。なお、空き番号のうちどの番号を特別な番号として使用するかについては、基地局と端末の間で事前に合意されていても良い。
【００３６】
図３は、第１の実施形態におけるプライマリセル変更前後の端末の設定（コンポーネントキャリアセットの設定）及び基地局からのシグナリングの一例を示す図である。図３に示した例も、図２に示した例と同様に、プライマリセルをCell index=1のセルからCell index=2のセルに変更する場合を示す。第１の実施形態では、基地局は、図３の中段に示したシグナリングを端末に送信する。本実施形態では、各セカンダリセルの設定を示す箇所に「scheduling-PDCCH:0」が記載されるため、プライマリセルが変更されても、scheduling-PDCCHに設定される番号は「０」（＝Pcell）のまま変わらない。図３に示した例では、プライマリセルが変更されても、Cell index=3のセカンダリセルの設定は変わらない。したがって、プライマリセルが変更されてもセカンダリセルのまま変わらないセルの設定については、基地局からのシグナリングに記載する必要はない。図３に示した例では、図３の中段に示したように、Cell index=3のセカンダリセルの設定についての記載を省略できる。端末は、当該シグナリングを受信すると、キャリアコンポーネントセットの設定を図３の下段にしめされた設定に変更する。
【００３７】
図４は、キャリアアグリゲーション中に基地局からシグナリングを受信した際の第１の実施形態の端末の動作を示すフローチャートである。図４に示すように、端末の受信部１５１は、キャリアアグリゲーション中に基地局から送信されたシグナリングを受信する（ステップＳ１０１）。次に、コンポーネントキャリア設定部１５５は、当該シグナリングによってプライマリセル（Pcell）の変更が指示されているかを判定する（ステップＳ１０３）。
【００３８】
当該シグナリングがプライマリセルの変更を指示していない場合はステップＳ１０５に進み、コンポーネントキャリア設定部１５５のセカンダリセル設定部１７５は、コンポーネントキャリア情報保持部１７１に保持されたコンポーネントキャリアセットの設定情報に含まれるセカンダリセルの設定情報（Scell Config）に基づいて、当該シグナリングに記載されたセカンダリセルに関する設定情報に従い、各セカンダリセルの設定を変更する。一方、当該シグナリングがプライマリセルの変更を指示している場合はステップＳ１０７に進み、コンポーネントキャリア設定部１５５のプライマリセル設定部１７３は、コンポーネントキャリア情報保持部１７１に保持されたコンポーネントキャリアセットの設定情報に含まれるプライマリセルの設定情報（Pcell Config）に基づいて、プライマリセルの設定を変更する。
【００３９】
ステップＳ１０７を行った後、コンポーネントキャリア設定部１５５は、当該シグナリングに記載されたセカンダリセルに関する設定情報を、コンポーネントキャリア情報保持部１７１に保持されたコンポーネントキャリアセットの設定情報における該当箇所に上書きする（ステップＳ１０８）。次に、コンポーネントキャリア設定部１５５は、コンポーネントキャリア情報保持部１７１に保持されたコンポーネントキャリアセットの設定情報に含まれるセカンダリセルのscheduling-PDCCHのＣＩが「０（＝Pcell）」であるか否かを判定する（ステップＳ１０９）。セカンダリセルのscheduling-PDCCHのＣＩが「０」である場合はステップＳ１１１に進み、「０」でない場合はステップＳ１１３に進む。
【００４０】
ステップＳ１１１では、コンポーネントキャリア設定部１５５は、コンポーネントキャリアセットの設定情報に含まれるプライマリセルのCell Indexを参照し、その番号をscheduling-PDCCHのＣＩとみなす。また、ステップＳ１１３では、セカンダリセル設定部１７５は、コンポーネントキャリアセットの設定情報に含まれるセカンダリセルの設定情報（Scell Config）に基づいて、各セカンダリセルの設定を変更する。
【００４１】
以上説明したように、本実施形態では、キャリアアグリゲーション中にプライマリセルを変更する際に、セカンダリセルのscheduling-PDCCHのＣＩを変更する必要がない。このため、図２の中段に示したシグナリングと図３の中段に示した本実施形態のシグナリングを比較すると明らかなように、プライマリセル変更時に基地局から端末に送信するシグナリングのデータ量（シグナリング量）を低減できる。
【００４２】
なお、本実施形態では、クロスキャリアスケジューリングが行われているとき、各セカンダリセルに設定されるscheduling-PDCCHのＣＩとして、プライマリセルを示す特別な番号が「０」に設定された場合について説明した。しかし、当該特別な番号は「０」に限らず、コンポーネントキャリアセットを構成するセルに割り当てられていない空き番号であれば他の番号でも良い。この場合、図４に示したステップＳ１０９では、コンポーネントキャリア設定部１５５は、コンポーネントキャリア情報保持部１７１に保持されたコンポーネントキャリアセットの設定情報に含まれるセカンダリセルのscheduling-PDCCHがコンポーネントキャリアセットを構成するセルに割り当てられていない空き番号であるか否かを判定する。
【００４３】
また、本実施形態では、ＣＩＦフラグまたはＣＩＦフラグ相当のパラメータがコンポーネントキャリアセットの設定情報に含まれなくても良い。
【００４４】
（第２の実施形態）
第２の実施形態では、プライマリセルが変更された場合、プライマリセルによってスケジューリングされていたセカンダリセルの内、プライマリセルの変更前後でセカンダリセルであり続けるセルについては、当該セルに設定されるscheduling-PDCCHのＣＩを変更後のプライマリセルのCell indexの番号に変更する。
【００４５】
図５は、第２の実施形態におけるプライマリセル変更前後の端末の設定（コンポーネントキャリアセットの設定）及び基地局からのシグナリングの一例を示す図である。図５に示した例も、図２又は図３に示した例と同様に、プライマリセルをCell index=1のセルからCell index=2のセルに変更する場合を示す。第２の実施形態では、基地局は、図５の中段に示したシグナリングを端末に送信する。当該シグナリングは、プライマリセルの設定を示す箇所にCell index=2を指示する。また、Cell index=1のセルはプライマリセルからセカンダリセルに変更されるため、当該シグナリングは、セカンダリセルの設定の箇所にCell index=1を指示する。
【００４６】
本実施形態では、Cell index=3のセルに対応するscheduling-PDCCHが変更される場合であっても、基地局から端末に送信されるシグナリングではこれを指示しない。このようなシグナリングを受信した端末は、プライマリセルをCell index=1のセルからCell index=2のセルに変更するため、プライマリセル変更前にscheduling-PDCCHのＣＩが「１」であったセカンダリセルに対応するscheduling-PDCCHのＣＩを「２」に変更する。
【００４７】
図６は、キャリアアグリゲーション中に基地局からシグナリングを受信した際の第２の実施形態の端末の動作を示すフローチャートである。なお、図６において、図４に示した第１の実施形態のフローチャート中のステップと同一又は同等部分には同一符号又は相当符号を付して説明を簡略化又は省略する。
【００４８】
ステップＳ１０１〜Ｓ１０８のステップは第１の実施形態と同様である。ステップＳ１０８の後、コンポーネントキャリア設定部１５５は、コンポーネントキャリア情報保持部１７１に保持されている各セカンダリセルのscheduling-PDCCHのＣＩが変更前のプライマリセルのCell indexが示す番号と同じであるか否かを判定する（ステップＳ２０９）。当該条件を満たす場合はステップＳ２１１に進み当該条件を満たさない場合はステップＳ１１３に進む。ステップＳ２１１では、コンポーネントキャリア設定部１５５のセカンダリセル設定部１７５は、コンポーネントキャリア情報保持部１７１に保持されている条件を満たしたセカンダリセルのscheduling-PDCCHのＣＩを、変更後のプライマリセルのCell indexの番号に変更する。
【００４９】
以上説明したように、本実施形態では、プライマリセルが変更された場合、プライマリセルによってスケジューリングされていたセカンダリセルの内、プライマリセルの変更前後でセカンダリセルであり続けるセルについては、端末が、当該セルに設定されるscheduling-PDCCHのＣＩを変更後のプライマリセルのCell Indexの番号に変更する。したがって、キャリアアグリゲーション中にプライマリセルを変更する際に、基地局から送信するシグナリングによって、当該セカンダリセルのscheduling-PDCCHのＣＩを変更する必要がない。このため、図２の中段に示したシグナリングと図５の中段に示した本実施形態のシグナリングを比較すると明らかなように、プライマリセル変更時に基地局から端末に送信するシグナリングのデータ量（シグナリング量）を低減できる。
【００５０】
なお、本実施形態では、ＣＩＦフラグまたはＣＩＦフラグ相当のパラメータがコンポーネントキャリアセットの設定情報に含まれなくても良い。
【００５１】
（第３の実施形態）
第３の実施形態では、プライマリセル変更時のセカンダリセルのscheduling-PDCCHの切替えを、プライマリセルのＣＩＦフラグによって判定する。すなわち、コンポーネントキャリア設定部１５５のコンポーネントキャリア情報保持部１７１に保持されたコンポーネントキャリアセットの設定情報に含まれるプライマリセルのＣＩＦフラグが「ｏｎ」のとき、端末は、第２の実施形態のときのように、セカンダリセルのscheduling-PDCCHのＣＩを変更前のプライマリセルのCell indexの番号から変更後のプライマリセルのCell indexの番号に切り替える。一方、プライマリセルのＣＩＦフラグが「ｏｆｆ」のとき、端末は、クロスキャリアスケジューリングを行わずに、各セルは自セルのＰＤＣＣＨでスケジューリングを行う設定と判定する。このとき、各セカンダリセルのscheduling-PDCCHのＣＩには、どの番号も設定されない。
【００５２】
図７は、第３の実施形態におけるプライマリセル変更前後の端末の設定（コンポーネントキャリアセットの設定）及び基地局からのシグナリングの一例を示す図である。図７に示した例も、図２、図３又は図５に示した例と同様に、プライマリセルをCell index=1のセルからCell index=2のセルに変更する場合を示す。但し、図７に示した例では、プライマリセルのＣＩＦフラグが「ｏｆｆ」（クロスキャリアスケジューリングを行わないモード）に変更される。
【００５３】
図７に示したプライマリセル変更前の端末の設定では、プライマリセル（Cell index=1）のＣＩＦフラグが「ｏｎ」であり、セカンダリセル（Cell index=2,3）のscheduling-PDCCHのＣＩには「１」が設定されている。プライマリセルをCell index=1のセルからCell index=2のセルに変更し、かつ、クロスキャリアスケジューリングを行わない設定に変更する場合、基地局は、図７の中段に示したシグナリングを端末に送信する。当該シグナリングは、プライマリセルの設定を示す箇所にCell index=2を指示し、かつ、ＣＩＦフラグを「ｏｆｆ」に設定する。また、Cell index=1のセルはプライマリセルからセカンダリセルに変更されるため、当該シグナリングは、セカンダリセルの設定の箇所にCell index=1を指示する。なお、Cell index=3のセルに関しては、当該シグナリングは何も指示しない。
【００５４】
このように、プライマリセルからセカンダリセルに変更されるCell index=1のセルの、シグナリングに記載されるscheduling-PDCCHのＣＩは、変更後のプライマリセル（Cell index=2）のＣＩＦフラグに応じて異なる。すなわち、変更後のプライマリセルのＣＩＦフラグが「ｏｎ」であれば、当該scheduling-PDCCHのＣＩには変更後のプライマリセルのCell indexの番号が設定され、変更後のプライマリセルのＣＩＦフラグが「ｏｆｆ」であれば、当該scheduling-PDCCHのＣＩにはどの番号も設定されない。
【００５５】
このようなシグナリングを受信した端末は、プライマリセルをCell index=1のセルからCell index=2のセルに変更し、かつ、クロスキャリアスケジューリングを行わないと判定して、コンポーネントキャリアセットを構成する全てのセカンダリセルのscheduling-PDCCHのＣＩにはどの番号も設定しない。なお、シグナリングに記載される各セカンダリセルの設定を示す箇所には、scheduling-PDCCHのＣＩに自セルのCell indexの番号を設定しても良い。但し、この場合は、全てのセカンダリセルに対してscheduling-PDCCHのＣＩを変更する必要があるため、シグナリング量の低減効果は小さい。また、図７に示したように、プライマリセル（Pcell）がセカンダリセル（Scell）に変更された場合、当該セカンダリセルに対応するscheduling-PDCCHが基地局からシグナリングされなければ、端末は、当該セカンダリセルに、どの番号も示さない「scheduling-PDCCH:-」をデフォルト値とみなして設定する。但し、基地局からのシグナリングに、当該セカンダリセルに対する「scheduling-PDCCH:-」の設定を含めても良い。
【００５６】
図８は、キャリアアグリゲーション中に基地局からシグナリングを受信した際の第３の実施形態の端末の動作を示すフローチャートである。なお、図８において、図６に示した第２の実施形態のフローチャート中のステップと同一又は同等部分には同一符号又は相当符号を付して説明を簡略化又は省略する。
【００５７】
ステップＳ１０１〜Ｓ１０８は第２の実施形態と同様である。ステップＳ１０８の後、コンポーネントキャリア設定部１５５は、変更後のプライマリセルのＣＩＦフラグが「ｏｆｆ」か「ｏｎ」かを判定する（ステップＳ３０１）。変更後のプライマリセルのＣＩＦフラグが「ｏｆｆ」の場合はステップＳ３０３に進み、「ｏｎ」の場合はステップＳ２０９に進む。ステップＳ２０９に進んだ後の端末の動作は、第２の実施形態と同様である。
【００５８】
ステップＳ３０３では、コンポーネントキャリア設定部１５５は、全てのセカンダリセルのＣＩＦフラグが「ｏｆｆ」か「ｏｎ」かを判定する。全てのセカンダリセルのＣＩＦフラグが「ｏｆｆ」の場合はステップＳ３０５に進み、「ｏｎ」の場合はステップＳ３０７に進む。ステップＳ３０５では、コンポーネントキャリア設定部１５５は、プライマリセル変更後はクロスキャリアスケジューリングを行わないと判定し、全てのセカンダリセルのscheduling-PDCCHのＣＩを「空値（−）」に設定する。一方、ステップＳ３０７では、セカンダリセル設定部１７５は、コンポーネントキャリア情報保持部１７１に保持されたコンポーネントキャリアセットの設定情報に含まれるセカンダリセルの設定情報（Scell Config）に基づいて、各セカンダリセルの設定を変更する。
【００５９】
以上説明したように、本実施形態では、プライマリセルの変更と同時にクロスキャリアスケジューリングを行わない設定に変更する場合、端末がコンポーネントキャリアセットを構成する全てのセルのＣＩＦフラグを参照して、全てのＣＩＦフラグ「ｏｆｆ」であれば、当該端末は、各セカンダリセルに設定されるscheduling-PDCCHのＣＩにどの番号も設定しない。すなわち、端末は、各セカンダリセルに設定されるscheduling-PDCCHのＣＩを「空値（−）」に設定する。したがって、キャリアアグリゲーション中にプライマリセルの変更と同時にクロスキャリアスケジューリングを行わない設定に変更する際、基地局から送信するシグナリングによって、セカンダリセルのscheduling-PDCCHのＣＩを変更する必要がない。このため、図２の中段に示したシグナリングと図７の中段に示した本実施形態のシグナリングを比較すると明らかなように、プライマリセルの変更と同時にクロスキャリアスケジューリングを行わない設定に変更するとき、基地局から端末に送信するシグナリングのデータ量（シグナリング量）を低減できる。
【００６０】
なお、本実施形態では、キャリアアグリゲーション時の各セルに割り当てられたCell indexの番号はセルが削除するまで変更されないことを前提としている。しかし、プライマリセルのCell indexを固定値（例えば０）とする場合にも、プライマリセルのＣＩＦフラグによる、クロスキャリアスケジューリングに関するＣＩＦフラグの「ｏｎ」／「ｏｆｆ」が適用される。
【００６１】
また、ＣＩＦフラグの代わりに、クロスキャリアスケジューリングを行うか否かを指示する別のフラグを用いても良い。この場合、当該別のフラグは、ＣＩＦフラグと同様に、プライマリセルの設定内で指示されるか、RRC connection reconfigurationメッセージ等の設定メッセージ内で指示される。
【００６２】
（第４の実施形態）
第４の実施形態では、複数の異なる周波数帯（バンド）にわたってキャリアアグリゲーションを行っている場合に、バンド毎にクロスキャリアスケジューリングの変更が可能である。すなわち、本実施形態では、プライマリセルのＣＩＦに連関したセカンダリセルのscheduling-PDCCHの切り替えを、バンド毎に適用するかコンポーネントキャリアセット全体に適用するかを指示するフラグ（例えば１ビットのバンド適用フラグ）を利用する。
【００６３】
図９は、第４の実施形態におけるプライマリセル変更前後のコンポーネントキャリアセット及び基地局からのシグナリングの一例を示す図である。図９に示した例は、８００ＭＨｚ帯のセル（Cell index=1,2）と２ＧＨｚ帯のセル（Cell index=3,4）を用いてキャリアアグリゲーションが行われている状態において、プライマリセルをCell index=1のセルからCell index=3のセルに変更し、かつ、Cell index=1のセルをコンポーネントキャリアセットから削除する場合を示す。なお、プライマリセル変更前は、８００ＭＨｚ帯と２ＧＨｚ帯の各帯域でクロスキャリアスケジューリングが行われている。すなわち、プライマリセル変更前、Cell index=1のセルは自セル及びCell index=2のセルをスケジューリングし、Cell index=3のセルは自セル及びCell index=4のセルのスケジューリングしている。
【００６４】
本実施形態の基地局から端末に送信されるシグナリングは、図９の中段に示したように、プライマリセルの設定を示す箇所にCell index=3を指示し、かつ、ＣＩＦフラグを「ｏｎ」に設定し、さらにCell index=1のセルを削除（remove）するとの指示を行う。なお、図９に示したシグナリングでは、Cell index=1のセルの削除も指示しているが、セカンダリセルの設定でCell index=1が指示されていなければ、端末は、当該セルを削除するとみなしても良い。
【００６５】
また、当該シグナリングには、クロスキャリアスケジューリングをバンド毎に適用するかコンポーネントキャリアセット全体に適用するかを指示するバンド適用フラグが記載される。なお、バンド適用フラグは、プライマリセルの設定を示す箇所に記載されても良い。また、バンド適用フラグは、RRC connection reconfigurationメッセージ等の設定メッセージに含まれていても良い。
【００６６】
バンド適用フラグが「ｏｎ」の場合は、クロスキャリアスケジューリングをバンド毎に適用することが指示されている。したがって、変更後のプライマリセル（Cell index=3）が含まれる２ＧＨｚ帯で閉じたクロスキャリアスケジューリングが行われ、８００ＭＨｚ帯のセカンダリセル（Cell index=2）は、これまでプライマリセルであったCell index=1のセルが削除されたため、scheduling-PDCCHのＣＩを「空値（−）」に設定してクロスキャリアスケジューリングを中止し、自セルのＰＤＣＣＨでスケジューリングを行う。
【００６７】
バンド適用フラグが「ｏｆｆ」の場合は、クロスキャリアスケジューリングをコンポーネントキャリアセット全体に適用することが指示されている。したがって、Cell index=1のセルにクロスキャリアスケジューリングされていたCell index=2のセルは、プライマリセルの変更に伴い、scheduling-PDCCHのＣＩが「３」に変更され、変更後のプライマリセル（Cell index=3）からクロスキャリアスケジューリングされる。
【００６８】
図１０は、複数の異なる周波数帯（バンド）にわたるキャリアアグリゲーション中に基地局からシグナリングを受信した際の第４の実施形態の端末の動作を示すフローチャートである。なお、図１０において、図６に示した第２の実施形態のフローチャート中のステップと同一又は同等部分には同一符号又は相当符号を付して説明を簡略化又は省略する。
【００６９】
ステップＳ１０１〜Ｓ１０８は第２の実施形態と同様である。ステップＳ１０８の後、コンポーネントキャリア設定部１５５は、バンド適用フラグに基づいて、クロスキャリアスケジューリングをバンド毎に適用するかコンポーネントキャリアセット全体に適用するかを判定する（ステップＳ４０１）。クロスキャリアスケジューリングをバンド毎に適用する場合はステップＳ４０３に進み、コンポーネントキャリアセット全体に適用する場合はステップＳ２０９に進む。ステップＳ２０９に進んだ後の端末の動作は、第２の実施形態と同様である。
【００７０】
ステップＳ４０３では、コンポーネントキャリア設定部１５５は、変更後のプライマリセルが属するバンドのセルに関する設定であればステップＳ４０５に進み、そうでなければステップＳ２０９に進む。ステップＳ２０９に進んだ後の端末の動作は、第２の実施形態と同様である。
【００７１】
ステップＳ４０５では、コンポーネントキャリア設定部１５５は、コンポーネントキャリア情報保持部１７１に保持されているセカンダリセルのscheduling-PDCCHのＣＩに変更前のプライマリセルのCell indexの番号が設定されていれば、当該ＣＩを変更後のプライマリセルのCell indexの番号に変更する。変更後のプライマリセルが属するバンド以外のバンドのセルに関しては、各セカンダリセルの設定に従う。
【００７２】
図１０に示したフローチャートは、第２の実施形態の図６に示したフローチャートにステップＳ４０１〜Ｓ４０５を追加して、バンド適用フラグを利用した場合を説明した。しかし、本実施形態は、第２の実施形態に限らず、第１の実施形態又は第３の実施形態にも適用できる。
【００７３】
以上説明したように、本実施形態によれば、複数の異なる周波数帯（バンド）にわたってキャリアアグリゲーションを行っている状態で、異なるバンドにプライマリセルを変更する場合であっても、セカンダリセルのscheduling-PDCCHの切り替えをバンド毎に分けて設定できる。
【００７４】
なお、プライマリセルが別のバンドのセルに変更され、かつ、クロスキャリアスケジューリングをバンド毎に適用することが指示された場合、変更前のプライマリセルと同じバンドのセカンダリセルについては、変更前のプライマリセルがクロスキャリアスケジューリングを行っており、かつ、変更後にはセカンダリセルとして使用される場合、クロスキャリアスケジューリングの設定はそのまま引き継がれる。また、図９に示したように、変更前のプライマリセルが削除される場合は、クロスキャリアスケジューリングされていたセカンダリセルが自セルのＰＤＣＣＨでスケジューリングするよう設定変更する。
【００７５】
さらに、同期タイミングの異なる複数のグループが存在するmulti-TA（Timing Alignment）の場合にも、バンド適用フラグをＴＡグループ毎の適用かコンポーネントキャリアセット全体の適用かを指示するフラグとして使用しても良い。
【００７６】
上記各実施形態では、本発明をハードウェアで構成する場合を例にとって説明したが、本発明はソフトウェアで実現することも可能である。
【００７７】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７９】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００８０】
なお、上記実施形態ではアンテナ１６１として説明したが、アンテナポートでも同様に適用できる。アンテナポート（Antenna port）とは、１本又は複数の物理アンテナから構成される論理的なアンテナを指す。すなわち、アンテナポートは必ずしも1本の物理アンテナを指すとは限らず、複数のアンテナから構成されるアレイアンテナ等を指すことがある。例えばＬＴＥ（Long Term Evolution）においては、アンテナポートが何本の物理アンテナから構成されるかは規定されず、基地局が異なる参照新号（Reference signal）を送信できる最小単位として規定されている。また、アンテナポートは、プリコーディング・ベクトル（Precoding vector）の重み付けを乗算する最小単位として規定されることもある。
【産業上の利用可能性】
【００８１】
本発明に係る無線通信装置は、キャリアアグリゲーションによって、複数の通信セルの各コンポーネントキャリアを同時に使用する通信装置等として有用である。
【符号の説明】
【００８２】
１５１  受信部
１５３  シグナリング処理部
１５５  コンポーネントキャリア設定部
１５７  設定完了メッセージ生成部
１５９  送信部
１６１  アンテナ
１７１  コンポーネントキャリア情報保持部
１７３  プライマリセル設定部
１７５  セカンダリセル設定部
【図１】
2012039467.tif 000003
【図２】
2012039467.tif 000004
【図３】
2012039467.tif 000005
【図４】
2012039467.tif 000006
【図５】
2012039467.tif 000007
【図６】
2012039467.tif 000008
【図７】
2012039467.tif 000009
【図８】
2012039467.tif 000010
【図９】
2012039467.tif 000011
【図１０】
2012039467.tif 000012
【図１１】
2012039467.tif 000013